(57)【特許請求の範囲】
【請求項１】
下記の諸要素：
金属板を打抜いて塑性変形させて製造され、アンダカット領域を形成するように第１基部から延出するドーム；
金属板を打抜いて塑性変形させて製造され、前記ドームの中に軸方向に挿入されてその内部付加部分をなし、第１基部の周縁に重ねることによって第１基部に継ぎ合わされる第２基部から延出する中間管状要素；
第３基部から突出し、前記中間要素を通過してホックの雄部品が固定される布地を貫通し、かつ前記ドームに対して変形してドームと中間要素の端部との間のより広い領域に介在できるような横断面と長さとを有する心軸；および
中間管状要素の自由端に対して打抜きと反対方向への折り曲げとによって第２基部に形成された少なくとも２つの相対する放射状ウイングで、それらの自由端が、挿入中に、互いに対面し、かつ、前記爪が前記布地を貫通するときに前記ウイングが載置される布地のカーリングを防止するために心軸の脚に少なくとも一部分で接触するウイング
を備えてなることを特徴とする、特に衣料品に用いるホックの雄部品。
【請求項２】
心軸が金属板を打抜いて塑性変形させることによって製造されていることを特徴とする請求項１記載の雄部品。
【請求項３】
金属の蓋の端縁が第３基部にその端縁において継ぎ合わされていることを特徴とする請求項１記載の雄部品。
【請求項４】
心軸が、実質的に円錐形であるその自由端を除いて、一定の横断面を有していることを特徴とする請求項１記載の雄部品。
【請求項５】
心軸が中空であることを特徴とする請求項１〜４のいずれか１つに記載の雄部品。
【請求項６】
中間管状要素が、実質的に円錐台形でありその自由端に向かってテーパーがついていることを特徴とする請求項１〜５のいずれか１つに記載の雄部品。
【請求項７】
ドームと中間管状要素とが、これらを心軸に連結する前に予め組立てられていることを特徴とする請求項１〜６のいずれか１つに記載の雄部品。
【請求項８】
前記の少なくとも２つのウイングの自由端の各１つが、円弧状にされ、その中央領域で心軸により大きく干渉することを特徴とする請求項１記載の雄部品。
【請求項９】
中間要素が実質的に円錐台形であることを特徴とする請求項１記載の雄部品。
【請求項１０】
前記の少なくとも２つのウイングの各１つが、実質的に長方形であり、その端縁が円弧のような形状にされていることを特徴とする請求項１記載の雄部品。
【発明の詳細な説明】
【０００１】
【発明の属する技術分野】
この発明は、限定されないが特に衣料品に有用なホックの雄部品に関する。
【０００２】
【従来の技術】
ホックは、特に若者の衣類の分野とスポーツウェアの分野で広く使用され、高く評価されている。
【０００３】
これらのホックは通常、金属製であり、２つの部品すなわち雄部品と雌部品とで構成されている。
【０００４】
ホックは、留める場合、その雄部品が、わずかな締まりばめによって雌部品中に挿入される。
【０００５】
いくつかのタイプにおいては、雄部品と雌部品との間の締まりばめが、雌部品の開口に対し周囲に形成された座部に配置された可撓性金属ワイヤによって確実に行われるものがある。
【０００６】
特に、従来のホックの雄部品は、実質的に２つの部品で構成されている。すなわち、その１つの部品は、金属板から打抜いて塑性変形させることによって製造された基部から延出してアンダカット領域を形成するドームであり、もう１つの部品は、基部から延出し、前記ドームの内側に嵌合可能な横断面と長さとを有し、その頂部がドームの内側で塑性変形して相互接続を行う管状ピンである。
【０００７】
このピンは通常、その自由端に関連する部分を除いて一定の横断面を有している。そして、このピンは、これとドームの間に適切に介在している布地を突き破り前記ドームのアンダカット領域に嵌合しなければならないので、その自由端はわずかにフレアがついており端縁が鋭利になっている。
【０００８】
【発明が解決しようとする課題】
上記のような構造になっている公知のホックの雄部品には欠点がある。
【０００９】
実際に、フレアのついた構造のピンは、一方では布地を突き破ることが容易であるが、他方では、ドームのネック部を変形させる傾向がある。そしてそのネック部は、前記ピンを接続させるのに必要なアンダカットを形成するのに加えて、雌部品に対して組立てられるときにその雌部品に接触させて固定させる領域でもある。
【００１０】
したがって、ドームのネック部が変形すると、そのホックの作動が不良になり、その留め外しが困難になることが多い。
【００１１】
さらに、ドームとピンを特定に連結させるには、前記ピンの寸法をごく特別なものにしなければならず、したがって適切なピンは各ドームに関連させなければならず、その結果、ホックを構成する部品と要素を製造する際に融通がきかずかつこれらの互換性が劣っている。
【００１２】
この発明の意図は、従来のホックの上記欠点を解決し、特にピンもしくは心軸またはそこに挿入された他の要素を挿入することによって起こるドームの変形をほぼ完全になくす、ホックの雄部品を提供することである。
【００１３】
上記の意図に関連して、この発明の目的は、構造が簡単で組立てが容易であり、その製造コストが従来のホックと競合できるホックの雄部品を提供することである。
【００１４】
この発明の他の目的は、その部品の製造時の融通性と互換性をかなり実現できる雄部品を提供することである。
【００１５】
この発明の他の目的は、すでに提供されている利点を実質的に変えることなく、公知の方法で製造できる雄部品を提供することである。
【００１６】
他の目的は、特に軽量であって、この特性のため、現在市販されている特に鋳造によって得られる金属タイプのものよりもユーザにとって好ましい雄部品を提供することである。
【００１７】
この発明の他の目的は、前記布地に起こるおそれのある損傷を最少にして、いずれにしろ時間の経過とともに布地に引裂きが生じる原因である損傷を布地に生じさせない雄部品を提供することである。
【００１８】
このような意図、これらの目的および他の諸目的は、次のようなホックにより達成される。
【００１９】
【課題を解決するための手段】
この発明によれば、下記の諸要素：金属板を打抜いて塑性変形させて製造され、アンダカット領域を形成するように第１基部から延出するドーム；金属板を打抜いて塑性変形させて製造され、前記ドームの中に軸方向に挿入されてその内部付加部分をなし、第１基部の周縁に重ねることによって第１基部に継ぎ合わされる第２基部から延出する中間管状要素；第３基部から突出し、前記中間要素を通過してホックの雄部品が固定される布地を貫通し、かつ前記ドームに対して変形してドームと中間要素の端部との間のより広い領域に介在できるような横断面と長さとを有する心軸；および、中間管状要素の自由端に対して打抜きと反対方向への折り曲げとによって第２基部に形成された少なくとも２つの相対する放射状ウイングで、それらの自由端が、挿入中に、互いに対面し、かつ、前記爪が前記布地を貫通するときに前記ウイングが載置される布地のカーリングを防止するために心軸の脚に少なくとも一部分で接触するウイングを備えてなることを特徴とする、特に衣料品に用いるホックの雄部品が提供される。
【００２０】
【発明の実施の形態】
この発明の他の特徴と利点は、添付図面の実施例で示すこの発明の２つの実施の形態に関する以下の説明によって明らかにされる。しかし、これらの実施の態様は例示を目的とするものであって、この発明を限定するものではない。
【００２１】
特に図１〜図４に、特に衣料品に用いる、この発明に係るホックの雄部品の第１の実施の形態を参照番号１０で示す。
雄部品１０は、以下の要素すなわちドーム１１、中間管状要素１２および心軸１３で構成されている。
【００２２】
ドーム１１は、アンダカット領域１４を形成するように第１基部１５から延出し、その第１基部１５はこの場合ほぼ円形であり、金属板から打抜きと塑性変形とで製造されている。
【００２３】
さらに具体的に述べると、アンダカット領域１４は、ドーム１１の細い部分で形成され、その細い部分は外側でドームのネック部を形成している。
【００２４】
中間管状要素１２も、金属板から打抜きと塑性変形とで製造され、ほぼ円形の第２基部１６から延出し、その第２基部１６は第１基部１５の周囲端縁を折り重ねることによって第１基部１５に継ぎ合わされている。
【００２５】
この中間管状要素１２はほぼ円錐台形でありその自由端の方に向かってテーパーがついており、組立て時にドーム１１の中に軸方向に挿入され、その内部延長部分を形成している。
【００２６】
心軸１３は、この場合もほぼ円形の第３基部１７から延出している。
【００２７】
心軸１３は、中空であり、かつこの場合もやはり金属板から打抜きと塑性変形とで製造されるので中空であり、金属カバー１８の端縁も第３基部１７の端縁で継ぎ合わされている。
【００２８】
心軸１３は、実質的にとがっているかまたは円錐形の自由端１９を除いて、その横断面はほぼ一定である。
【００２９】
心軸１３は縦方向に延出しているので、中間管状要素１２を通過して該要素１２から突出し、その結果、その自由端がドーム１１の内面に当接し塑性変形してドームに接続され、その変形端は実際にドーム１１と中間管状要素１２との間に介在している。
【００３０】
雄部品１０が固定されることになっている布地のフラップを介在させた後に、心軸１３をまず中間管状要素１２の中に挿入し、次いでドーム１１の中に挿入する。
【００３１】
一方の側にドーム１１と中間管状要素１２を、また他方の側に心軸１３と金属カバー１８を都合よく予め組立てた後、これらを相互に固定する。
【００３２】
組立て時に布地のフラップ２０の方に向いている基部１６と基部１７の面は、布地に対する摩擦を増加させるためにローレット切り加工を行った方が好都合な場合がある。
【００３３】
実際、目的が達成されたことが認められ、特に中間管状要素１２を介在させると、心軸１３または任意にピンを挿入する際に、ドームのネック部に全く変形を起こさずに心軸１３がホックの雌部品に完全に連結される。
【００３４】
特に図５〜図８に、特に衣料品に用いる、この発明に係るホックの雄部品の第２の実施の形態を参照番号１１０で示す。
【００３５】
この雄部品１１０は、以下の要素すなわちドーム１１１、中間管状要素１１２および心軸１１３で構成されている。
【００３６】
ドーム１１１は、第１基部１１５から延出してアンダカット領域１１４を形成し、その第１基部１１５はこの場合ほぼ円形であり、金属板から打抜いて塑性変形させることによって製造される。
【００３７】
アンダカット領域１１４は、ドーム１１１の細い部分で形成され、その細い部分はドームのネック部の外側を形成している。
【００３８】
中間管状要素１１２も、金属板から打抜いて塑性変形させることによって製造され、ほぼ円形の第２基部１１６から突出し、この第２基部１１６は第１基部１１５の周囲端縁を折り重ねることによって第１基部１１５に継ぎ合わされるようになっている。
【００３９】
中間管状要素１１２は、この場合ほぼ円錐台形でありその自由端に向かってテーパーがついており、さらに組立て時に、ドーム１１１の中に軸方向に挿入され、その内部延長部分を形成する。
【００４０】
２つの向かい合った径向きウイング１１７が、打抜いて前記中間管状要素１１２の自由端に対して反対方向に折り曲げることによって第２基部１１６に形成され、それらウイングの自由端１１８は互いに対面し、挿入中に少なくとも一部分が心軸１１３の脚１１９と干渉して、参照番号１２０で示す布地のカーリングが防止され、この布地を心軸１１３が横断すると、これら自由端はその布地の上に載置される。
【００４１】
この場合、ウイング１１７の自由端縁１１８の各１つは、実質的に円弧形なので、主にその中央領域で心軸１１３と接触する。
【００４２】
さらに、ウイング１１７の各１つは、対応する自由端１１８を除いてほぼ長方形である。
【００４３】
心軸１１３は、この場合ほぼ円形の第３基部１２１から突出している。
【００４４】
心軸１１３はやはりこの場合も中空であり、金属板から打抜いて塑性変形させることによって製造され、さらに第３基部１２１の端縁で金属カバー１２２の端縁に継ぎ合わされる。
【００４５】
心軸１１３は、実質的にとがっているかまたは円錐形の自由端１２３を除いて、横断面が実質的に一定である。
【００４６】
心軸１１３の縦方向の延長部を、中間管状要素１１２を通過させて中間管状要素１１２から突出させると、心軸１１３の自由端はドーム１１１の内面に当接し塑性変形してドーム１１１に接続され、その変形端は実際にドーム１１１と中間管状要素１１２との間に介在している。
【００４７】
雄部品１１０が固定されることになっている布地１２０を介在させた後に、心軸１１３をまず第１に中間管状要素１１２の中に挿入し、次にドーム１１１の中に挿入する。
【００４８】
さらに、一方の側にドーム１１１と中間管状要素１１２を、また他方の側に心軸１１３と金属カバー１２２を都合よく予め組立てた後、これらを相互に固定する。
【００４９】
組立て時に布地のフラップ１２０の方に向いている第２基部１１６と第３基部１２１の面は、前記フラップに対する摩擦を増加させるためローレット切り加工を行った方が好都合な場合がある。
【００５０】
この点について、心軸の挿入中に布地の上に載置されるウイングが存在すると、布地のカーリングと引裂きがほぼ完全に回避されるので、この発明の雄部品を特に軽い布地にさえも適用することができることに注目すべきである。
【００５１】
さらに、この発明の雄部品は、上記の両実施の形態において心軸の挿入中にドームを全く変形させることがないので、心軸を全体としてホックの雌部品に完全に連結させることができることに注目すべきである。
【００５２】
また両者の場合、中間管状要素は、まさにその形態によって、各種の大きさの心軸またはピンを収納することができるので、雄部品を構成する要素を相互に交換できることに注目すべきである。
【００５３】
この発明の雄部品は、構造の面で著しく簡単なので、製造時間と製造コストの点で従来のホックに比べて競争力が高いことに注目すべきである。
【００５４】
最後に、この発明の組立品が金属板を打抜くことによって得られる要素で構成され、特に、鋳造によって製造される従来の雄部品に比べて重量が軽いことは注目すべきである。
【００５５】
この発明は、多くの改変と変形を行うことができるが、これらはすべてこの発明の概念の範囲内にある。
【００５６】
細部はすべて、さらに、他の技術的に均等な要素と取替えることもできる。
【００５７】
その材料と寸法は、その必要条件にしたがって任意に選択できる。
【００５８】
【発明の効果】
この発明は、上記のように構成されているので、特にピンもしくは心軸または挿入される他の要素を挿入することによって起こるドームの変形をほぼ完全になくすことができるとともに、心軸の挿入中に布地の上に載置されるウイングが存在することで、布地のカーリングと引裂きがほぼ完全に回避されるので、この発明の雄部品を特に軽い布地にさえも適用することができる、などの効果を奏する。
【図面の簡単な説明】
【図１】この発明のホックの雄部品の第１の実施の形態を示す分解斜視図である。
【図２】組立て段階における図１の雄部品の分解部分断面図である。
【図３】布地に対して組立てる一段階における図１の雄部品の部分断面側面図である。
【図４】布地に対して組立てる別の一段階における図１の雄部品の部分断面側面図である。
【図５】この発明のホックの雄部品の第２の実施の形態を示す斜視図である。
【図６】図５に示す雄部品の分解図である。
【図７】図５に示す雄部品の一部品の断面図である。
【図８】図５に示す雄部品の他の断面図である。
【符号の説明】
１０    雄部品
１１    ドーム
１２    中間管状要素
１３    心軸
１４    アンダカット領域
１５    第１基部
１６    第２基部
１７    第３基部
１８    金属カバー
１９    心軸１３の自由端
２０    フラップ
１１０  雄部品
１１１  ドーム
１１２  中間管状要素
１１３  心軸
１１４  アンダカット領域
１１５  第１基部
１１６  第２基部
１１７  ウイング
１１８  ウイング１１７の自由端
１１９  心軸１１３の脚
１２０  フラップ
１２１  第３基部
１２２  金属カバー
１２３  心軸１１３の自由端
【図１】
0003580937.tif 000002
【図２】
0003580937.tif 000003
【図３】
0003580937.tif 000004
【図４】
0003580937.tif 000005
【図５】
0003580937.tif 000006
【図６】
0003580937.tif 000007
【図７】
0003580937.tif 000008
【図８】
0003580937.tif 000009